(57)【要約】【課題】本考案は、特にヘルメットの後方に設けられ、オートバイに乗る際の運転者や同乗者の頭部の傾きにより制御を行う方向指示装置を提供する。【解決手段】ヘルメットの左側に設けられる左ランプと、ヘルメットの右側に設けられる右ランプと、制御装置を介して左ランプと右ランプに接続される傾斜スイッチと、制御装置に接続され、電力を供給する電源装置とを備えるヘルメットの方向指示装置であって、該傾斜スイッチは金属からなるカバーと、カバーの底部に設置される絶縁ベースとを有し、該金属カバーの内部に絶縁ベースを固定するためリードを有する内部ガイド体が設けられ、内部ガイド体の一側に阻止部が形成され、該阻止部の底部に他側へ上方へ傾斜する斜面部が形成され、該斜面部に金属ボールが設置される、ヘルメットの方向指示装置を提供する。【選択図】図１
0003120377.tif 000002
【実用新案登録請求の範囲】
【請求項１】
ヘルメットの左側に設けられる左ランプと、
ヘルメットの右側に設けられる右ランプと、
制御装置を介して左ランプと右ランプに接続される傾斜スイッチと、
制御装置に接続され、電力を供給する電源装置とを備える、
ヘルメットの方向指示装置。
【請求項２】
前記傾斜スイッチは、金属からなるカバーと、該カバーの底部に設置される絶縁ベースとを有し、該カバーの内部に絶縁ベースを固定するための、リードを有する内部ガイド体が設けられ、該内部ガイド体の一側に阻止部が形成され、該阻止部の底部に他側上方へ傾斜する斜面部が形成され、該斜面部に金属ボールが設置される、請求項１に記載のヘルメットの方向指示装置。
【請求項３】
前記制御装置に音声発生装置が接続される、請求項１に記載のヘルメットの方向指示装置。
【考案の詳細な説明】
【技術分野】
【０００１】
本考案はヘルメット方向指示装置であり、特にヘルメットの後方に設けられ、オートバイに乗る際の運転者や同乗者の頭部の傾きにより制御を行う方向指示装置に関するものである。
【背景技術】
【０００２】
主要な交通手段であるオートバイを運転するときは、車線変更や右左折などを行う際に後方車両にそのことを知らせる方向指示器が車体の両側に設けられている。
【０００３】
しかしながら、道路が混雑している中では、車両同士の間隔が短くなり、方向指示器が目線より遥かに低くなるため、その警告効果もかなり低下してしまう。
【０００４】
故に目線と同程度の高さのヘルメットに方向指示装置を設け、有効な方向指示を開発する、台湾特許第５６４６８５号「安全警告ヘルメット」（特許文献１）や第Ｉ２２９５８８号「ヘルメットに設けられる方向及びブレーキ無線指示装置」（特許文献２）が案出された。該二案は共にヘルメットに方向指示装置が設けられるものであり、そのうち特許文献１は、オートバイの方向指示器の制御システムと配線で接続されるものであり、一方、特許文献２は、無線制御システムでオートバイの制御システムとを用い、運転者が手動でオートバイの方向指示器を制御しヘルメットの方向指示装置を連動させてランプを点滅させることにより、相手にこちらの行動を示すものである。これによれば、後続車に確実こちらの行動を伝えることができる。
【０００５】
【特許文献１】台湾特許第５６４６８５号
【特許文献２】台湾特許第I２２９５８８号
【考案の開示】
【考案が解決しようとする課題】
【０００６】
しかしながら、前記従来の特許文献１「安全警告ヘルメット」や特許文献２「ヘルメットに設けられる方向及びブレーキ無線指示装置」は、以下に示すような欠点を有する。
１．前記両案は共にオートバイにおける方向指示器制御システムとヘルメットにおけるシステムとを同調させて制御する必要があり、この方法を実施する場合にはその機能を果たすために、オートバイにおける方向指示器の制御システムを配合しなければならないので、非常に不便である。
２．前記両案は共にヘルメットだけでなく、オートバイにも制御装置が必要となることから、コストが増加してしまうので、価格が下がる一方のヘルメット市場において販売競争力に大きな打撃をもたらす恐れがある。
３．前記述べたように特許文献１は、配線でオートバイと接続することから、オートバイに乗る時にはその配線を繋ぎ、またオートバイを降りる時にも該配線を取り外す必要があるので、使用上の利便性に優れなく、更に運転中においてはヘルメットとオートバイとにおける配線の接続状態を常に確保しなくてはならないことから、非常に気を使うので、不測な事態が発生した場合、適切に対応することができなくなる恐れがある。
【０００７】
上述したように、ヘルメットに方向指示装置を設けることは、確かに優れた警告効果はあるが、従来のようなオートバイの方向指示器の制御システムと接続する設計には更に改良する余地がある。
【０００８】
そこで、考え出されたものが本考案であって、オートバイを乗る際の運転者や同乗者の頭部の傾きにより制御を行う、ヘルメットの方向指示装置を提供することを目的としている。
【課題を解決するための手段】
【０００９】
本願の第１考案は、ヘルメットの左側に設けられる左ランプと、ヘルメットの右側に設けられる右ランプと、制御装置を介して左ランプと右ランプに接続される傾斜スイッチと、制御装置に接続され、電力を供給する電源装置とを備える、ヘルメットの方向指示装置を提供する。
【００１０】
本願の第２考案は、前記傾斜スイッチは、金属からなるカバーと、該カバーの底部に設置される絶縁ベースとを有し、該カバーの内部に絶縁ベースを固定するための、リードを有する内部ガイド体が設けられ、該内部ガイド体の一側に阻止部が形成され、該阻止部の底部に他側上方へ傾斜する斜面部が形成され、該斜面部に金属ボールが設置される、本願の第１考案に記載のヘルメットの方向指示装置を提供する。
【００１１】
本願の第３考案は、前記制御装置に音声発生装置が接続される、本願の第１考案に記載のヘルメットの方向指示装置を提供する。
【考案の効果】
【００１２】
本考案は上記の課題を解決するものであり、ヘルメットの左側に設けられる左ランプと、ヘルメットの右側に設けられる右ランプと、制御装置を介して左ランプと右ランプに接続される傾斜スイッチと、制御装置に接続され、電力を供給する電源装置とを備えるので、以下に示すような効果を達成できる。
１．本考案に係るヘルメットの方向指示装置は、オートバイの制御システムと接続せずに独立的にその機能を実行できるように設計されているので、オートバイの如何なる制御システムとも接続させる必要がない。
２．前記述べた通り、本考案の方向指示装置は、オートバイに制御装置を設ける必要もがないことから、コストダウンを図ることができるので、販売競争力を高めることができる。
３．本考案のヘルメットは、オートバイと接続しなくても自ら制御を行うことにより作動することから、運転中に配線などで妨害されることがなくなるので、安全性を向上させることができる。
【考案を実施するための最良の形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係るヘルメットの方向指示装置の第１実施例を示す後側面図であり、図２は本考案に係るヘルメットの方向指示装置の傾斜スイッチを示す図であり、図３は本考案に係るヘルメットの方向指示装置の第１実施例の使用状態を示す後側面図であり、図４は本考案に係るヘルメットの方向指示装置の第１実施例の他の使用状態を示す後側面図であり、図５は本考案に係るヘルメットの方向指示装置の第２実施例を示す後側面図であり、図６は本考案に係るヘルメットの方向指示装置の第３実施例を示す後側面図であり、図７は本考案に係るヘルメットの方向指示装置の第３実施例の使用状態を示す後側面図であり、図８は本考案に係るヘルメットの方向指示装置におけるランプの他の実施例を示す後側面図である。
【００１５】
図１に示すように、本考案に係るヘルメットの方向指示装置は、ヘルメット（４０）に設置される本体（１０）を有し、その設置方式は、螺設や掛合などであり、その設置位置はヘルメット（４０）の後側、上側或いは前側である。
また、本体（１０）内部の両側に夫々左ランプ（１１）と右ランプ（１２）が設けられ、本体（１０）における左ランプ（１１）と右ランプ（１２）を有する位置に透明もしくは半透明のカバーが被着されることにより、ランプが発する光を透過することができる。
【００１６】
更に、前記方向指示装置の内部に対称的に二つの傾斜スイッチ（２０）（２１）が設けられ、図１及び図２に示すように、一方の左側傾斜スイッチ（２０）は左側に設けられ、他方の右側傾斜スイッチ（２１）は右側に設けられる。
該方向指示装置は、金属からなるカバー（２０１）と、該カバー（２０１）の底部に設けられる絶縁ベース（２０２）とを有し、該カバー（２０１）の内部に絶縁ベース（２０２）を固定するための、リードを有する内部ガイド体（２０３）（２１１）が設けられる。
該内部ガイド体（２０３）（２１１）の右側/左側に阻止部（２０５）（２１２）が設けられる。
該阻止部（２０５）（２１２）の底部に左側/右側上方へ傾斜する斜面部（２０６）（２１３）が形成され、該斜面部（２０６）（２１３）に金属ボール（２０７）（２１４）が設置される。
【００１７】
前記斜面部（２０６）（２１３）の傾斜角度は、場合に応じて異なる設定にできるが、１０〜４５度が最も好ましい。
更に本考案には、メインスイッチを有する制御装置（３０）及び電源装置（３１）が設けられる。
そのうち制御装置（３０）は、左側傾斜スイッチ（２０）、右側傾斜スイッチ（２１）のカバー（２０１）及び内部ガイド体（２０３）（２１１）のリード（２０４）に接続されると共に、左ランプ（１１）及び右ランプ（１２）にも接続される。
一方、電源装置（３１）は一般の乾電池或いは太陽電池であり、前記制御装置（３０）に接続される。
故に、本考案は、他の制御システムと関係しない独立した方向指示装置と言える。
【００１８】
図３に示すように、運転者や同乗者が装着するヘルメットは、運転者や同乗者の頭部を左側へ傾ければ、左傾斜スイッチ（２０）の内部に設けられるボール（２０７）がカバー（２０１）に向かって傾斜部（２０６）を転がる。ボール（２０７）がカバー（２０１）と接触すると、電気回路を形成して、制御装置（３０）が左ランプ（１１）を点滅させ、左折や左車線に車線変更することを相手に示すことができる。
また、制御装置（３０）に所定時間に遅らせる遅延機能を設定することにより、運転者や同乗者の頭部が復位しても、所定時間に左ランプ（１１）を点滅させ続けることができる。
一方、図４に示すように、運転者や同乗者の頭部を右側へ傾ければ、右ランプ（１２）を点滅させて、右折や右車線に車線変更することを相手に示すことができる。
【００１９】
図５に示すように、本考案に係る方向指示装置の第２実施例は、二つの本体（５０）（６０）を有し、該二つの本体（５０）（６０）はそれぞれヘルメットの両側に設けられる。
左側の本体（５０）は左ランプ（５１）、左側傾斜スイッチ（５２）、制御装置（５３）及び電源装置（５４）を有する。
右側の本体（６０）は右ランプ（６１）、右側傾斜スイッチ（６２）、制御装置（６３）及び電源装置（６４）を有する。
該左側と右側の制御装置（５３）（６３）はそれぞれメインスイッチと接続される。
【００２０】
また、図６に示すように、前記方向指示装置は、さらに制御装置と電気接続される警告ランプ（７０）を備え、該警告ランプ（７０）は、メインスイッチを入れると点滅する設計となっており、これにより、図７に示すように、方向指示装置に警告効果を付加することができる。
また、その警告ランプ（７０）は、運転者や同乗者が右左折や車線変更時に左側或いは右側に頭部を傾けて、制御装置を左ランプ（１１）又は右ランプ（１２）を点滅させると、消える。その後、左ランプ（１１）又は右ランプ（１２）が点滅遅延時間を経った後、制御装置が警告ランプ（７０）を再び点滅させる設計となっている。
【００２１】
前記左ランプ又は右ランプは、いかなる照明装置、例えば発光式、点滅式などを適用できる。さらに、図８に示すように、並設されたLEDを順次に点滅させて、より優れた警告効果を提供することもでき、前記照明装置を複数の色彩で設計し、警告効果と装飾効果を兼備するものとすることもできる。
それに加えて、前記制御装置に音声発生装置（符号なし）を接続することにより、左ランプ（１１）又は右ランプ（１２）の点滅に合わせてスピーカーにより音声や音楽を発生してもよい。
【００２２】
本考案は上記の構成を有し、優れた警告効果を有することから、運転時の安全性を向上させると共に、低コスト化を図るので、販売競争力をより高めることができる。
【図面の簡単な説明】
【００２３】
【図１】本考案に係るヘルメットの方向指示装置の第１実施例を示す後側面図である。
【図２】本考案に係るヘルメットの方向指示装置の傾斜スイッチを示す図である。
【図３】本考案に係るヘルメットの方向指示装置の第１実施例の使用状態を示す後側面図である。
【図４】本考案に係るヘルメットの方向指示装置の第１実施例の他の使用状態を示す後側面図である。
【図５】本考案に係るヘルメットの方向指示装置の第２実施例を示す後側面図である。
【図６】本考案に係るヘルメットの方向指示装置の第３実施例を示す後側面図である。
【図７】本考案に係るヘルメットの方向指示装置の第３実施例の使用状態を示す後側面図である。
【図８】本考案に係るヘルメットの方向指示装置におけるランプの他の実施例を示す後側面図である。
【符号の説明】
【００２４】
１０・・・本体
１１・・・左ランプ
１２・・・右ランプ
２０・・・左側傾斜スイッチ
２０１・・・カバー
２０２・・・絶縁ベース
２０３・・・内部ガイド体
２０４・・・リード
２０５・・・阻止部
２０６・・・斜面部
２０７・・・ボール
２１・・・右側傾斜スイッチ
２１１・・・内部ガイド体
２１２・・・阻止部
２１３・・・斜面部
２１４・・・ボール
３０・・・制御装置
３１・・・電源装置
４０・・・ヘルメット
５０・・・本体
５１・・・左側ランプ
５２・・・左側傾斜スイッチ
５３・・・制御装置
５４・・・電源装置
６０・・・本体
６１・・・右ランプ
６２・・・右側傾斜スイッチ
６３・・・制御装置
６４・・・電源装置
７０・・・警告ランプ
【図１】
0003120377.tif 000003
【図２】
0003120377.tif 000004
【図３】
0003120377.tif 000005
【図４】
0003120377.tif 000006
【図５】
0003120377.tif 000007
【図６】
0003120377.tif 000008
【図７】
0003120377.tif 000009
【図８】
0003120377.tif 000010